(57)【要約】本発明は、複数のユーザを共用ダウンリンク・チャネルに関連付ける方法を提供する。その方法の１つの実施形態は、１つの識別子を複数のモバイルユニットに関連付けることと、識別子を使用して共用チャネルを介して複数のモバイルユニットに少なくとも１つのマルチキャスト・サービスを提供することとを含むことができる。その方法の他の実施形態は、複数のモバイルユニットに関連した識別子を使用して共用チャネルを介して少なくとも１つのマルチキャスト・サービスを受信することを含むことができる。
2009519684.tif 000002
【特許請求の範囲】
【請求項１】
１つの識別子を複数のモバイルユニットに関連付けるステップと、
前記識別子を使用して共用チャネルを介して前記複数のモバイルユニットに少なくとも１つのマルチキャスト・サービスを提供するステップと
を備える方法。
【請求項２】
前記識別子を前記複数のモバイルユニットに関連付けるステップは、前記複数のモバイルユニットのうちの少なくとも１つに関連したデータ速度および前記複数のモバイルユニットのうちの少なくとも１つに関連した少なくとも１つのチャネル品質のうちの少なくとも１つに基づいて前記識別子を前記複数のモバイルユニットに関連付けるステップを備える、請求項１に記載の方法。
【請求項３】
前記複数のモバイルユニットのうちの１つに対して１つのチャネルを専用にするステップであって、前記複数のモバイルユニットのうちの前記１つに関連したデータ速度および前記複数のモバイルユニットのうちの前記１つに関連したチャネル品質のうちの少なくとも１つに基づいて前記複数のモバイルユニットのうちの１つに対して前記チャネルを専用にするステップを備える前記複数のモバイルユニットのうちの１つに対して１つのチャネルを専用にするステップと、
前記専用チャネルに関連した前記モバイルユニットを他の専用チャネルにハンドオフするステップと
を備える、請求項１に記載の方法。
【請求項４】
前記識別子を使用して前記共用チャネルを介して前記複数のモバイルユニットに少なくとも１つのマルチキャスト・サービスを提供するステップは、前記識別子をマスクとして使用してシグナリング・チャネルを介して前記複数のモバイルユニットに前記少なくとも１つのマルチキャスト・サービスに関連したシグナリング情報を提供するステップを備え、前記シグナリング情報を提供するステップは、新しいデータ、再送信要求識別子、トランスポート・フォーマット、トランスポート・ブロック・セット・サイズ、変調方式、物理チャネル、およびチャネライゼーション・コードのうちの少なくとも１つを示す情報を提供するステップを備える、請求項１に記載の方法。
【請求項５】
前記少なくとも１つのマルチキャスト・サービスを提供するステップはトランスポート・フォーマットを決定するステップを備え、前記トランスポート・フォーマットを決定するステップはコード化方式、変調方式、およびトランスポート・ブロック・サイズのうちの少なくとも１つを決定するステップを備え、前記複数のモバイルユニットのうちの少なくとも１つに関連した少なくとも１つのチャネル品質を示す情報を受信するステップをさらに備え、前記トランスポート・フォーマットを決定するステップは、前記複数のモバイルユニットのうちの少なくとも１つに関連した少なくとも１つのチャネル品質を示す前記情報に基づいてトランスポート・フォーマットを決定するステップを備え、前記トランスポート・フォーマットを決定するステップは、前記複数のモバイルユニットのうちの少なくとも１つに関連した最低のチャネル品質に基づいて前記トランスポート・フォーマットを決定するステップを備える、請求項１に記載の方法。
【請求項６】
前記少なくとも１つのマルチキャスト・サービスを提供するステップは、前記複数のモバイルユニットのうちの少なくとも１つから肯定応答および否定応答のうちの少なくとも１つを受信するステップを備え、前記複数のモバイルユニットのうちの少なくとも１つから少なくとも１つの否定応答を受信することに応答して少なくとも１つのパケットを再送信するステップをさらに備える、請求項１に記載の方法。
【請求項７】
複数のモバイルユニットに関連した識別子を使用して関連した共用チャネルを介して少なくとも１つのマルチキャスト・サービスを受信するステップ
を備える方法。
【請求項８】
前記少なくとも１つのマルチキャスト・サービスを受信するステップは、前記複数のモバイルユニットのうちの少なくとも１つに関連したデータ速度および前記複数のモバイルユニットのうちの少なくとも１つに関連した少なくとも１つのチャネル品質のうちの少なくとも１つに基づいて前記複数のモバイルユニットに関連した前記識別子を使用して共用チャネルを介して少なくとも１つのマルチキャスト・サービスを受信するステップを備える、請求項７に記載の方法。
【請求項９】
前記少なくとも１つのマルチキャスト・サービスを受信するステップは、前記識別子をマスクとして使用してシグナリング・チャネルを介して前記少なくとも１つのマルチキャスト・サービスに関連したシグナリング情報を受信するステップを備え、前記シグナリング情報を受信するステップは、新しいデータ、再送信要求識別子、トランスポート・フォーマット、トランスポート・ブロック・セット・サイズ、変調方式、物理チャネル、およびチャネライゼーション・コードのうちの少なくとも１つを示す情報を受信するステップを備え、少なくとも１つのチャネル品質を示す情報を提供するステップをさらに備える、請求項７に記載の方法。
【請求項１０】
肯定応答または否定応答を提供するステップと、
少なくとも１つの否定応答を提供することに応答して少なくとも１つの再送信されるパケットを受信するステップと
を備える、請求項７に記載の方法。
【発明の詳細な説明】
【技術分野】
【０００１】
本発明は、概して通信システムに関し、より具体的には無線通信システムに関する。
【背景技術】
【０００２】
従来の無線通信システムは、ユーザ装置、加入者装置、およびアクセス端末装置などの用語を使用して呼ばれることもできる１つまたは複数のモバイルユニットに無線接続を提供するために、アクセス・ポイントまたはノードＢまたはアクセス・ネットワークと呼ばれることもできる１つまたは複数の基地局または基地局ルータを含む。例示のモバイルユニットは、携帯電話、携帯情報端末、スマートフォン、テキスト・メッセージング装置、ラップトップ／ノードブック・コンピュータ、デスクトップ・コンピュータなどを含む。各基地局は、基地局に関連した地理的領域またはセル内のモバイルユニットなどの１つまたは複数のモバイルユニットに無線接続を提供することができる。例えば、基地局は、ユニバーサル移動体通信システム（ＵＭＴＳ）仕様書によりセル内に配置されたモバイルユニットに無線接続を提供することができる。あるいは、基地局ルータが、モバイルユニットに無線接続を提供するために使用されることができる。
【０００３】
無線通信システムは、システム内のモバイルユニットにマルチキャスト・サービスを提供することができる。マルチキャスト伝送では、パケット形式の情報が無線通信システムに結合されたマルチキャスト・サーバなどのソースによって提供され、パケットは、同一の情報が複数のユーザに同時に送信されることができるように複製される。したがって、単一のサーバは、マルチキャスト・サービスを多くのモバイルユニットに同時に提供することができる。例えば、単一のマルチキャスト・サーバは、ビデオ・ストリーミング、対話式ゲーム配信、ニュース・クリップなどを複数のモバイルユニットに同時に提供することができる。典型的には、モバイルユニットのユーザはマルチキャスト・サービスに加入し、次いでモバイルユニットは、いつマルチキャスト伝送が行われることができるかを決定するために１つまたは複数のシグナリング・チャネルを監視する。モバイルユニットが、マルチキャスト伝送が利用可能であることを決定するとき、モバイルユニットはマルチキャスト伝送を受信するために通信チャネルを確立することができる。
【０００４】
従来のマルチキャスト・サービス・プロバイダは、各モバイルユニットに関連した専用チャネル（ＤＣＨ）を使用して無線インターフェースを介してモバイルユニットに情報を配信する。例えば、複数のモバイルユニットが基地局を介して提供されるマルチキャスト・サービスに加入する場合、専用チャネルはモバイルユニットごとに確立され、専用チャネルは基地局から関連のモバイルユニットにマルチキャスト・パケットを送信するために使用される。しかし、専用チャネルを使用してマルチキャスト・サービスを実施することはいくつかの欠点を有する。例えば、各モバイルユニットは、専用チャネルを確立するおよび／または維持することに関連するリソースを消費する。新しいモバイルユニットが送信し始める場合、干渉レベルの対応する増加が、他のモバイルユニットにそれらの送信電力を増大させ、追加のリソースを消費させる可能性がある。したがって、リソース使用率がモバイルユニット数と共に指数関数的に拡大する。その結果、マルチキャスト・サービスを受信することができるモバイルユニットの総数は典型的に、マルチキャスト・サービスに利用できる無線リソースによって限定される。マルチキャスト・サービスを受信することができるモバイルユニット数での制限は可能性のある加入者数での制限に変換することができ、次いで可能性のある加入者数は、マルチキャスト・サービスを提供することによって生成されることができる可能性のある収入を限定しうる。
【発明の開示】
【発明が解決しようとする課題】
【０００５】
本発明は、上記の問題のうちの１つまたは複数の影響に対処することに関する。
【課題を解決するための手段】
【０００６】
下記は、本発明のいくつかの態様の基本的理解をもたらすために本発明の簡略化された要約を提供する。この要約は、本発明の網羅的な概要ではない。本発明の基本的な要素または重大な要素を識別するものではなく、本発明の範囲を描くものでもない。その唯一の目的は、後で議論されるより詳細な説明に対する序文として簡略化された形でいくつかの概念を提供することである。
【０００７】
本発明の１つの実施形態では、１つの方法が複数のユーザを共用ダウンリンク・チャネルに関連付けるために提供される。その方法の１つの実施形態は、１つの識別子を複数のモバイルユニットに関連付けることと、識別子を使用して共用チャネルを介して複数のモバイルユニットに少なくとも１つのマルチキャスト・サービスを提供することとを含むことができる。その方法の他の実施形態は、複数のモバイルユニットに関連した識別子を使用して共用チャネルを介して少なくとも１つのマルチキャスト・サービスを受信することを含むことができる。
【０００８】
本発明は、添付図面と共になされる下記の説明を参照することによって理解されることができ、添付図面では同様の参照番号は同様の要素を識別する。
【０００９】
本発明は様々な変更形態および代替形式に影響を受けやすいが、その特定の実施形態が図面内で例として示されており、本明細書で詳細に説明されている。しかし、特定の実施形態の本明細書での説明は開示された特定の形式に本発明を限定するものではなく、むしろ意図は、添付の特許請求の範囲によって定義される本発明の精神および範囲内に入るすべての変更形態、均等物、および代替形態を包含することであることは理解されよう。
【発明を実施するための最良の形態】
【００１０】
本発明の例示の実施形態が下記で説明される。明確にするために、実際の実装形態のすべての特徴が本明細書内で説明されているとは限らない。勿論、任意のこの種の実際の実施形態の開発では多くの実装形態特定の決定が、実装形態によって異なるシステム関連の制約およびビジネス関連の制約の順守などの開発者の特定の目標を達成するためになされるべきであることは理解されよう。さらに、この種の開発努力は複雑で時間を費やしうるが、それにもかかわらず本開示の利点を有する当業者のために着手するルーチンであろうことは理解されよう。
【００１１】
本発明および対応する詳細な説明の部分が、ソフトウェアまたはコンピュータ・メモリ内のデータ・ビット上での動作のアルゴリズムおよびシンボリック表現に関して示される。これらの説明および表現は、当業者が当業者の仕事の内容を他の当業者に効果的に伝達するものである。用語が本明細書で使用されるとき、および用語が概して使用されるとき、アルゴリズムは所望の結果になる首尾一貫したステップのシーケンスであると考えられる。そのステップは物理量の物理的操作を必要とするステップである。通常、必ずしもこれらの量は、記憶され、転送され、結合され、比較され、他の方法で操作されることができる光信号、電気信号、または磁気信号の形をとらない。主に共通使用のために、これらの信号をビット、値、要素、シンボル、文字、用語、数字などと呼ぶことが適宜、便利であることがわかる。
【００１２】
しかし、これらの用語および類似の用語のすべては、適切な物理量に関連付けられるべきであり、これらの量に適用された単なる便利なラベルであることは留意されたい。他の方法で具体的に記述されない限り、または議論から明らかなように、「処理」または「コンピューティング」または「計算」または「決定」または「表示」などの用語は、コンピュータ・システムのレジスタおよびメモリ内の物理電子量として表されるデータをコンピュータ・システムのメモリまたはレジスタまたは他のこの種の情報記憶装置、伝送装置または表示装置内の物理量として同様に表される他のデータに操作し変換するコンピュータ・システムまたは同様の電子コンピューティング装置の動作およびプロセスを意味する。
【００１３】
典型的には本発明のソフトウェア実装の態様は、ある形式のプログラム記憶媒体上にコード化されるまたはある種の伝送媒体を介して実施されることも留意されたい。プログラム記憶媒体は、磁気（例えば、フロッピディスクまたはハード・ドライブ）または光学（例えば、コンパクトディスク・リード・オンリ・メモリ、または「ＣＤ  ＲＯＭ」）であってよく、リード・オンリまたはランダム・アクセスであってよい。同様に、伝送媒体は、ツイストペア線、同軸ケーブル、光ファイバ、または当技術分野に知られている他のある適切な伝送媒体であってよい。本発明は、任意の所与の実装形態のこれらの態様によって限定されない。
【００１４】
本発明はここで、添付図面を参照して説明される。様々な構造、システムおよび装置が、説明の目的のためだけに、および当業者によく知られている詳細を用いて本発明を不明確にしないために図面内で概略的に説明される。それにもかかわらず、添付図面が、本発明の例示的な例を記載し説明するために含まれる。本明細書で使用される語および句は、当業者によるそれらの語および句の理解と一致する意味を有するように理解され解釈されるべきである。用語または句の特別な定義（すなわち、当業者によって理解される通常の意味および慣例的意味と異なる定義）は、本明細書で用語または句の一貫性のある使用によって意味されるものではない。用語または句が特別な意味（すなわち、当業者によって理解される意味以外の意味）を有するものであるならば、この種の特別な定義は、用語または句に関する特別な定義を直接、明白に提供する定義方法で本明細書内に明確に記載される。
【００１５】
図１は、通信システム１００の第１の例示の実施形態を概念的に示す。例示の実施形態では通信システム１００は、基地局ルータ１１０に通信できるように結合されているネットワーク１０５を含む。あるいは、基地局（図示せず）がネットワーク１０５に結合されていてよい。したがって、ネットワーク１０５の少なくとも一部分は、ユニバーサル移動体通信サービス（ＵＭＴＳ）無線通信システムの第３世代パートナシップ・プロジェクト（３ＧＰＰ）標準化内で規定されるなどの無線通信プロトコルにより動作することができる。例えば、ネットワーク１０５は３ＧＰＰのＵＭＴＳ無線通信システムのリリース６により動作することができる。しかし、本開示の利点を有する当業者は、本発明が３ＧＰＰのＵＭＴＳプロトコルだけにより動作するネットワーク１０５に限定されないことを理解すべきである。代替実施形態ではネットワーク１０５の部分は、符号分割多元接続（ＣＤＭＡ、ＣＤＭＡ２０００）プロトコル、ブルートゥース・プロトコル、ＩＥＥＥ８０２プロトコルのうちの１つなどの任意の無線アプリケーション・プロトコルにより動作することができる。さらに、ネットワーク１０５の部分は、公衆交換電話網（ＰＳＴＮ）、一般の旧電話システム（ＰＯＴＳ）などの１つまたは複数の有線通信プロトコルにより動作することができる。
【００１６】
ネットワーク１０５は、マルチキャスト・サービスを提供するように構成される。本明細書で使用されるように用語「マルチキャスト・サービス」は、単一のサーバによって複数のユーザに同時に提供されることができるサービスを意味する。例えば、マルチキャスト・サービスに関連したパケットは、マルチキャスト・サービスが複数のユーザに同時に提供されることができるようにネットワーク１０５内に複製されることができる。マルチキャスト・サービスは、「一地点対多地点間型」サービスと呼ばれることもできる。しかし、本開示の利点を有する当業者は、マルチキャスト・サービスが、サービスが「多地点対多地点間型」サービスと呼ばれることができる場合に２つ以上のパケットのソースを含むことができることを理解すべきである。例示のマルチキャスト・サービスは、ビデオ・ストリーミング、対話式のゲーム配信、ニュース放送などを含むことができる。３ＧＰＰのＵＭＴＳのリリース６を実施するネットワーク１０５の実施形態では、マルチキャスト・サービスは、このサービスによって定義されるマルチキャスト・ブロードキャスト・マルチメディア・サービス（ＭＢＭＳ）機能を使用して提供されることができる。しかし、本開示の利点を有する当業者は、他のプロトコルによって定義されることができる他のマルチキャスト機能が使用されることができることを理解すべきである。
【００１７】
通信システム１００の例示の実施形態は、ネットワーク１０５および基地局ルータ１１０を介してモバイルユニット１２０、１２５、１３０にマルチキャスト・サービスを提供するように構成されているマルチキャスト・サーバ１１５を含む。しかし、本開示の利点を有する当業者は、無線通信システム１００が単一のマルチキャスト・サーバ１１５に限定されないことを理解すべきである。代替実施形態では、任意の数のマルチキャスト・サーバ１１５がネットワーク１０５と通信できるように結合されることができる。モバイルユニット１２０、１２５、１３０は、マルチキャスト・サーバ１１５によって提供されるマルチキャスト・サービスうちの１つまたは複数に加入していると仮定される。例えば、モバイルユニット１２０、１２５、１３０は、それらが購入されるときに１つまたは複数のマルチキャスト・サービスに加入されることができる、またはモバイルユニット１２０、１２５、１３０のユーザがその後に１つまたは複数のマルチキャスト・サービスに加入することができる。マルチキャスト・サービスに加入するための技術は、当業者に知られており、明確にするために本明細書でさらに説明されない。
【００１８】
識別子がモバイルユニット１２０、１２５、１３０に関連付けられることができる。例えば、高速ダウンリンク共通チャネル（ＨＳ−ＤＳＣＨ）の無線ネットワーク識別子（ＨＲＮＴＩ）がモバイルユニット１２０、１２５、１３０に割り当てられることができる。１つの実施形態では識別子が、モバイルユニット１２０、１２５、１３０が１つまたは複数のマルチキャスト・サービスに加入するときにモバイルユニット１２０、１２５、１３０に関連付けられることができる。モバイルユニット１２０、１２５はグループ１３５、１４０にそれぞれ関連付けられることができ、単一の識別子がグループ１３５、１４０のそれぞれの中のモバイルユニット１２０、１２５のそれぞれに関連付けられる。例えば、グループ１３５内のモバイルユニット１２０は、第１のサービスに加入されることができ、第１のＨＲＮＴＩに関連付けられることができ、グループ１４０内のモバイルユニット１２５は、第１のサービスに加入されることもでき、第１のＨＲＮＴＩと異なる第２のＨＲＮＴＩに関連付けられることができる。しかし、当業者は、モバイルユニット１２０、１２５、１３０のすべてがグループ１３５、１４０のうちの１つまたは複数に関連付けられる必要があるとは限らないことを理解すべきである。例えば、モバイルユニット１３０は第１のサービスに加入されることができるが、いかなるグループに関連付けられなくてよい。したがって、モバイルユニット１３０は、第３のＨＲＮＴＩなどのそれ自体の識別子に関連付けられることができる。１つの実施形態では、識別子がＬ３シグナリングを使用してモバイルユニット１２０、１２５、１３０に提供されることができる。
【００１９】
動作中、モバイルユニット１２０、１２５、１３０は、マルチキャスト・サービスが提供されているか否かを決定するために基地局ルータ１１０によって提供されるシグナリング・チャネル１４５を監視する。シグナリング・チャネル１４５が図１で３つの矢印によって示されるが、本開示の利点を有する当業者は、シグナリング・チャネル１４５が基地局ルータ１１０に近い任意の装置によって監視されることができる基地局ルータ１１０によってブロードキャストされる単一のチャネルであることを理解すべきである。１つの実施形態ではシグナリング・チャネル１４５は、マルチキャスト・サービスに関連した制御情報をブロードキャストすることができる高速共有制御チャネル（ＨＳＳＣＣＨ）である。しかし、当業者は、基地局ルータ１１０が２つ以上のシグナリング・チャネル１４５をサポートすることができ、モバイルユニット１２０、１２５、１３０が１つまたは複数のシグナリング・チャネル１４５を監視することができることを理解すべきである。例えば、基地局ルータ１１０は４つ以上のシグナリング・チャネル１４５をサポートすることができ、モバイルユニット１２０、１２５、１３０は４つまでのシグナリング・チャネル１４５を監視することができる。
【００２０】
マルチキャスト伝送がマルチキャスト・サーバ１１５によって予定されるとき、モバイルユニット１２０、１２５、１３０は、シグナリング・チャネル１４５を介して制御情報をブロードキャストすることによって通知されることができる。制御情報は、新しいデータが利用可能であることの指標、再送信要求処理識別子（ＨＡＲＱ処理ＩＤなど）、およびトランスポート・フォーマット・リソース・インジケータ（ＴＦＲＩ）を含むことができる。ＴＦＲＩは、ダウンリンク・チャネルに関連したトランスポート・ブロック・セット・サイズ、変調方式、もう１つのチャネライゼーション・コードなどを示すことができるダウンリンク・チャネルに関するトランスポート・フォーマットを含んで送信に関連した情報を含むことができる。シグナリング・チャネル１４５を介して送信される情報は、モバイルユニット１２０、１２５、１３０に関連付けられた識別子を使用してマスクされることができる。したがって、グループ１３５、１４０内のモバイルユニット１２０、１２５は、シグナリング・チャネル１４５を介して送信される情報をマスクするためにＨＲＮＴＩなどの単一の識別子を使用して予定されたマルチキャスト伝送を通知されることができる。
【００２１】
マルチキャスト・サーバ１１５、ネットワーク１０５、および／または基地局ルータ１１０は、共用チャネル１５０、１５１、１５２を介してモバイルユニット１２０、１２５、１３０に予定されたマルチキャスト・サービスを提供することができる。例えば、共用チャネル１５０、１５１、１５２は時分割チャネルであってよい。例示の実施形態では、共用チャネル１５０はグループ１３５に関連付けられており、共用チャネル１５１はグループ１４０に関連付けられており、共用チャネル１５２はモバイルユニット１３０に関連付けられている。当業者は、本発明が３つの共用チャネル１５０、１５１、１５２に限定されないことも理解すべきである。代替実施形態では、基地局ルータ１１０は３つの共用チャネル１５０、１５１、１５２よりも多いまたは少ない共用チャネルを介してマルチキャスト・サービスを提供可能であってよい。
【００２２】
共用チャネル１５０、１５１、１５２は、モバイルユニット１２０、１２５、１３０にそれぞれマルチキャスト・サービスを提供するために使用されることができる。例えば、共用チャネル１５０は、時分割物理チャネルの１つまたは複数の送信時間間隔（ＴＴＩ）内でマルチキャスト・サービスに関連した情報を送信することによってグループ１３５内のモバイルユニット１２０にマルチキャスト・サービスを提供するために使用されることができる。他の例の場合、共用チャネル１５１は、時分割物理チャネルの他の送信時間間隔（ＴＴＩ）内でマルチキャスト・サービスに関連した情報を送信することによってモバイルユニット１２５にマルチキャスト・サービスを提供するために使用されることができる。他の例の場合、共用チャネル１５２は、時分割物理チャネルの他の送信時間間隔（ＴＴＩ）内でマルチキャスト・サービスに関連した情報を送信することによってモバイルユニット１３０にマルチキャスト・サービスを提供するために使用されることができる。したがって、マルチキャスト・サービスは、専用チャネルを各モバイルユニット１２０、１２５、１３０に割り当てる技術に対して低減した数のダウンリンク・チャネルを使用してモバイルユニット１２０、１２５、１３０のうちの複数に提供されることができる。
【００２３】
モバイルユニット１２０、１２５、１３０は、１つまたは複数のアップリンク・チャネル１５５、１５６、１５７を介してフィードバック情報を提供することもできる。１つの実施形態ではモバイルユニット１２０、１２５、１３０のそれぞれは、高速ダウンリンク物理制御チャネル（ＨＳ−ＤＰＣＣＨ）を介してチャネル品質情報を提供する。例えば、モバイルユニット１２０、１２５、１３０のそれぞれは、チャネル品質インジケータ（ＣＱＩ）を使用してモバイルユニット１２０、１２５、１３０に関連したＨＳ−ＤＰＣＣＨを介してチャネル品質情報を提供することができる。したがって、本開示の利点を有する当業者は、矢印１５５、１５６がモバイルユニット１２０、１２５のうちの複数に関連した複数のアップリンク・チャネルを表すことができることを理解すべきである。例えば、矢印１５５は３つのモバイルユニット１２０に関連した３つのＨＳ−ＤＰＣＣＨを表すことができる。
【００２４】
ネットワーク１０５は、マルチキャスト・サービスに関連した無線リソースを割り当てるためにモバイルユニット１２０、１２５、１３０によって提供されるチャネル品質情報を使用することができる。１つの実施形態ではネットワーク１０５は、共用チャネル１５０、１５１、１５２を介するマルチキャスト・サービスに関連した送信に関するトランスポート・フォーマットを最適化するためにチャネル品質情報を使用することができる。例えば、ネットワーク１０５は、共用チャネル１５０を介して送信されるパケットのために使用されるべきコード化／変調方式および／またはトランスポート・ブロック・サイズを選択するためにモバイルユニット１２０によって提供されるチャネル品質情報を使用することができる。１つの実施形態ではネットワーク１０５は、グループ１３５、１４０のそれぞれの中のモバイルユニット１２０、１２５、１３０のうちの１つに関連した最低のチャネル品質に基づいて無線リソースを割り当てることができる。
【００２５】
１つの実施形態ではモバイルユニット１２０、１２５、１３０は、モバイルユニット１２０、１２５、１３０に関連したデータ伝送速度および／またはチャネル品質に基づいてグループ１３５、１４０のうちの１つまたは複数に関連付けられることができる。例えば、モバイルユニット１２０が比較的高いチャネル品質を報告しており、したがって１６直交振幅変調（１６ＱＡＭ）などのマルチキャスト・サービスに関する比較的高速のデータ伝送速度に関連付けられるのでモバイルユニット１２０は、マルチキャスト・サービスに加入されることができ、グループ１３５に関連付けられることができる。他の例の場合、モバイルユニット１２５がマルチキャスト・サービスに加入され、マルチキャスト・サービスのために１６ＱＡＭ変調の使用を可能にするほど十分高くないが高速ダウンリンク・パケット・アクセス（ＨＳＤＰＡ）をサポートするには十分であるチャネル品質を報告しているので、モバイルユニット１２５はグループ１４０に関連付けられることができる。１つの実施形態では、比較的不十分なチャネル状態を報告し、その結果、マルチキャスト・サービスのため低速のＨＳＤＰＡによってだけサポートされることができるモバイルユニット１２０、１２５、１３０は、レガシＤＣＨなどの専用チャネルに割り当てられることができる。例えば、モバイルユニット１３０は、基地局ルータ１１０に関連したセルの縁部近くに配置される可能性があり、したがって、マルチキャスト・サービスを受信するためにレガシＤＣＨに割り当てられることができる。下記で詳細に議論されるように、隣接セルへのモバイルユニット１３０のハンドオフは、レガシＤＣＨをモバイルユニット１３０に割り当てることによって容易にされることができる。
【００２６】
モバイルユニット１２０、１２５、１３０は確認応答フィードバックを提供することができる（例えば、アップリンク・チャネル１５５、１５６、１５７を使用して）。１つの実施形態では確認応答フィードバックは、肯定応答（ＡＣＫ）メッセージおよび／または否定応答（ＮＡＣＫ）メッセージを含むことができる。基地局ルータ１１０がＮＡＣＫメッセージを受信するとき、ＮＡＣＫメッセージに関連した１つまたは複数のパケットがモバイルユニット１２０、１２５、１３０のうちの１つまたは複数に再送信されることができる。１つの実施形態では確認応答メッセージに関連したフィードバック電力は、基地局ルータ１１０がＡＣＫメッセージではなくＮＡＣＫメッセージを受信することができるように調整されることができる。例えば、ＡＣＫメッセージに関する送信電力は、比較的低く設定されることができ、ＮＡＣＫメッセージに関する送信電力は比較的高く設定されることができる。しかし、当業者は、確認応答フィードバックを提供することが任意選択の機能であり、通信システム１００のすべての実施形態に含まれなくてよいことを理解すべきである。さらに、確認応答メッセージを提供するための他の技術が使用されることができる。
【００２７】
図２は、通信システム２００の第２の例示の実施形態を概念的に示す。例示の実施形態では通信システム２００は、地理的領域またはセル２２０、２２５内のモバイルユニット２１５に無線接続を提供するために使用されることができる２つの基地局ルータ２０５、２１０を含む。しかし、当業者は、本発明が２つのセル２２０、２２５に無線接続を提供する２つの基地局ルータ２０５、２１０に限定されないことを理解すべきである。代替実施形態では無線通信システム２００は、任意の数のセル２２０、２２５に無線接続を提供することができる任意の数の基地局ルータ２０５、２１０を含むことができる。例示の実施形態では無線通信システム２００は、基地局ルータ２０５、２１０を介して１つまたは複数のマルチキャスト・サービスを提供するように構成されている。
【００２８】
最初にモバイルユニット２１５は、モバイルユニット２１５が比較的高いチャネル品質および／または比較的高速のデータ速度でマルチキャスト・サービス伝送を受信することができる基地局ルータ２０５に近い領域内（点線の円２３０によって示されるように）に配置される。しかし、本開示の利点を有する当業者は、チャネル品質および／またはデータ速度が基地局ルータ２０５に近いことだけによって決定されることができないことを理解すべきである。例えば、建物、地理的形状、および／または他の障害物が、モバイルユニット２１５に利用可能なチャネル品質および／またはデータ速度に影響を与えることもできる。したがって、領域２３０は、円によってよく表されることはできず、代わりに様々な不規則性を含みうる。モバイルユニット２１５は、すべてが比較的高いチャネル品質および／または比較的高速のデータ速度を共用する１群のモバイルユニット（図示せず）に関連付けられ、したがって、上述のように単一の共用チャネルを介してマルチキャスト・サービス伝送を受信することができる。
【００２９】
次いでモバイルユニット２１５は、領域２３０の外側に移動し、チャネル品質および／またはデータ速度が低減しうるセル２２０の縁部に近い領域内に移動することができる。したがって、モバイルユニット２１５は、比較的高いチャネル品質および／またはデータ速度を有するモバイルユニットのグループから除去されることができ、代わりにレガシＤＣＨなどの専用チャネルに関連付けられることができる。次いで無線通信システム２００は、専用のレガシＤＣＨを介してマルチキャスト・サービス伝送を提供することができる。次いでモバイルユニット２１５がセル２２０を離れ、セル２２５内にローミングする場合、モバイルユニット２１５は、基地局ルータ２０５に関連した専用のレガシＤＣＨから基地局ルータ２１０によって提供される専用のレガシＤＣＨにハンドオフされることができる。基地局ルータ２０５から基地局ルータ２１０にモバイルユニット２１５をハンドオフするための技術は、当業者に知られており、明確にするために本明細書でさらに議論されない。
【００３０】
基地局ルータ２０５から基地局ルータ２１０へのハンドオフ後、モバイルユニット２１５は、モバイルユニット２１５が比較的高いチャネル品質および／または比較的高速のデータ速度で基地局ルータ２１０を介してマルチキャスト・サービス伝送を受信することができる領域２３５の外側にいてよい。したがって、モバイルユニット２１５は、上述のレガシＤＣＨなどの専用チャネルに関連付けられることができる。しかし、モバイルユニット２１５は、モバイルユニット２１５が比較的高いチャネル品質および／または比較的高速のデータ速度で基地局ルータ２１０を介してマルチキャスト・サービス伝送を受信することができる領域２３５内にローミングし続けることができる。したがって、モバイルユニット２１５は、比較的高いチャネル品質および／または比較的高速のデータ速度でマルチキャスト・サービス伝送を受信することもできる１群のモバイルユニット（図示せず）に関連付けられることができる。
【００３１】
図３は、マルチキャスト・サービスを複数のモバイル・ユーザに提供する方法３００の１つの例示の実施形態を概念的に示す。例示の実施形態では、識別子は複数のモバイルユニットに関連付けられる（３０５で）。例えば、ＨＲＮＴＩは、同様のチャネル品質および／またはデータ速度を有する複数のモバイルユニットに関連付けられることができる。次いでマルチキャスト・サービスは、識別子に関連した複数のモバイルユニットに提供されることができる（３１０で）。例えば、モバイルユニットは、識別子を示す情報をマスクとして使用してシグナリング・チャネルを介して予定されたマルチキャスト・サービス伝送を通知されることができる。通知は、マルチキャスト・サービスに関連したパケットならびに共用チャネルに関連した様々な制御パラメータを送信するために使用される共用チャネルを示す情報を含むことができる。次いでモバイルユニットは、共用チャネルを介して１つまたは複数のマルチキャスト・サービスを受信することができる（３１５で）。
【００３２】
本発明は、本明細書で教示の利点を有する当業者にとって明らかである異なるが等価な方法で変更され実施されることができるので、上記で開示された特定の実施形態は例示だけである。さらに、添付の特許請求の範囲で説明されること以外、本明細書で示される構造または設計の詳細を限定するものではない。したがって、上記で開示された特定の実施形態は変更されるまたは修正されることができ、すべてのこの種の変形形態は本発明の範囲および精神内と見なされることは明らかである。したがって、本明細書で求められる保護は、添付の特許請求の範囲内に記載されている。
【図面の簡単な説明】
【００３３】
【図１】本発明による通信システムの第１の例示の実施形態を概念的に示す図である。
【図２】本発明による通信システムの第２の例示の実施形態を概念的に示す図である。
【図３】本発明による複数のモバイル・ユーザにマルチキャスト・サービスを提供する方法の１つの例示の実施形態を概念的に示す図である。
【図１】
2009519684.tif 000003
【図２】
2009519684.tif 000004
【図３】
2009519684.tif 000005
【国際調査報告】
2009519684.tif 000006
2009519684.tif 000007
2009519684.tif 000008